(57)【要約】【課題】冷蔵庫本体の開口部に吸着するマグネットガスケットの磁力を簡単な構成で強くして充分な扉の吸着力を得るようにし、また熱伝導性能を改善して冷却能力や庫外側への露付き防止性能を向上した冷蔵庫を提供する。【解決手段】軟質樹脂により形成され冷蔵庫本体の開口部周縁２ａに吸着する長尺のひも状磁石17を保持したマグネット保持部13と、扉９側への取付部15と、前記マグネット保持部と取付部とを伸縮自在に連結する薄肉の袋状部16とを有し、前記マグネット保持部に保持された磁石の外方平坦面17ａを直接冷蔵庫本体の開口面に吸着させたマグネットガスケット11を本体開口を閉塞する扉裏面に取着したことを特徴とする。【選択図】  図２
2005188840.tif 000002
【特許請求の範囲】
【請求項１】
軟質樹脂により形成され冷蔵庫本体の開口部周縁に吸着する長尺のひも状磁石を保持したマグネット保持部と、扉側への取付部と、前記マグネット保持部と取付部とを伸縮自在に連結する薄肉の袋状部とを有し、前記マグネット保持部に保持された磁石の外方平坦面を直接冷蔵庫本体の開口面に吸着させたマグネットガスケットを本体開口を閉塞する扉裏面に取着したことを特徴とする冷蔵庫。
【請求項２】
磁石の保持部側底面に長手方向に亙って嵌入溝を設け、この嵌入溝に対向するマグネット保持部に形成したくさび形突条を前記嵌入溝に嵌入して磁石を保持したことを特徴とする請求項１記載の冷蔵庫。
【請求項３】
マグネット保持部のくさび形突条に対向する袋状部の扉側に、扉裏面に設けた嵌入溝に嵌入するくさび形突条を長手方向に亙って形成したことを特徴とする請求項２記載の冷蔵庫。
【請求項４】
磁石の外方平坦面には長手方向に亙って少なくとも１条の凹溝を設けたことを特徴とする請求項１乃至３のいずれかに記載の冷蔵庫。
【請求項５】
磁石の外方平坦面の庫内側あるいは庫外側に隣接するマグネット保持部には、前記庫内側あるいは庫外側の少なくとも一方から本体開口面に向かって軟質ヒレを延出し、閉扉時には磁石の外方平坦面とともに前記軟質ヒレが本体開口面に直接当接するようにしたことを特徴とする請求項１乃至４のいずれかに記載の冷蔵庫。
【発明の詳細な説明】
【技術分野】
【０００１】
本発明は、扉の裏面側周縁に磁石を内蔵したマグネットガスケットを取り付けた冷蔵庫に関する。
【背景技術】
【０００２】
従来、冷蔵庫扉裏面に取着され冷蔵庫本体の前面開口部周縁の冷気シールをおこなうマグネットガスケット（51）は、広く一般に実施されている構造である図４に示すように、軟質合成樹脂材によって形成するとともに、冷蔵庫本体を形成する薄鋼板製の外箱（52）の前面開口面に吸着する磁石（67）を内蔵したマグネット保持部（63）と、扉内側（64）の周縁に形成したガスケット保持凹溝（64ａ）に嵌着されるくさび形の取付部（65）と、これらマグネット保持部（63）と取付部（65）とを伸縮自在に連結する薄肉の袋状部（66）とからなる断面を有して構成されていた。
【０００３】
上記ガスケット（51）は、押出成形によって上記断面形状体を長尺のひも状に形成するとともに、扉（59）の裏側周縁に取着すべく、各端面を４５度の傾斜角度で切断して４辺を設け、この端縁同士を突き合わせて溶着接合することでコーナーを直角とした枠状に形成し、扉内側（64）の保持凹溝（64ａ）に嵌着して取り付けるようにしており、このガスケット（51）を扉周縁に取り付けた際には、取付部（65）と外箱面に吸着するマグネット保持部（63）に対して、薄肉の袋状部（66）が扉（59）の開閉に合わせて伸縮し、冷蔵庫本体の前面開口部に対する扉面の密着状態を保持するものである。
【０００４】
そして、ガスケット（51）が当接する外箱の鍔部（52ａ）の裏面断熱材（53）側には、冷凍サイクルにおける凝縮器の一部である高温の冷媒パイプ（62）が配設されている。これは鍔部（52ａ）の一部が庫内（56）側に露出していることから、貯蔵室内の冷却空気により薄鋼板製の外箱鍔部（52ａ）が冷やされて熱伝導により外箱（52）の庫外側の面に結露し、高温多湿時には露が床部に垂れ落ちることを防止するための構成であるが、反面、熱伝導により加熱された外箱鍔部（52ａ）の温度により、貯蔵室（56）内の空気温度が上昇するという弊害を生じる。
【０００５】
これに対する構成として、前記構造に加えて、マグネット保持部（63）に接続されている袋状部（66）を図４に示すように庫内（56）側に膨出させ、閉扉の際は、膨出させた袋状部（66）の面を外箱の鍔部（52ａ）に係合した内箱（54）の鍔部（54ａ）に当接させることで、袋状部（66）によって本体の前面開口部の外箱と内箱の係合鍔部（52ａ）（54ａ）を広く覆い、庫内外間に二重の空気室を形成してシールをおこなうようにしたものがあった。
【発明の開示】
【発明が解決しようとする課題】
【０００６】
しかしながら、前記マグネットガスケット（51）構成における磁石（67）は、軟質樹脂で形成されたマグネット保持部（63）に内蔵されているため、閉扉状態における磁石（67）と外箱（52）の前面開口面である鍔部（52ａ）との間には薄肉ではあるが非磁性体の軟質樹脂層が介在するため、磁石（67）の磁力が著しく減衰することになる。
【０００７】
そのため、磁石（67）の磁力を強くしないと冷蔵庫本体に対する充分な吸着力を得られないことになり、磁石（67）、さらにはマグネットガスケット（51）自体のサイズが大きくなることから、コスト高とともに外箱（52）と扉（59）との隙間が大きくなって冷蔵庫としての外観意匠を損なう一因になっていた。
【０００８】
また、ガスケット部における熱遮断性能は必ずしも大きくないことから庫内から庫外への熱が漏れやすいものであり、庫内（56）の冷却性能が劣化したり、庫内冷気の漏れの影響により庫外の外箱開口面（52ａ）近傍に結露しやすい欠点があった。
【０００９】
本発明は、上記点を考慮してなされたもので、冷蔵庫本体の開口部に吸着するマグネットガスケットの磁力を簡単な構成で強くして充分な扉の吸着力を得るようにし、また熱伝導性能を改善して冷却能力や庫外側への露付き防止性能を向上した冷蔵庫を提供することを目的とする。
【課題を解決するための手段】
【００１０】
上記課題を解決するために、本発明の冷蔵庫は、軟質樹脂により形成され冷蔵庫本体の開口部周縁に吸着する長尺のひも状磁石を保持したマグネット保持部と、扉側への取付部と、前記マグネット保持部と取付部とを伸縮自在に連結する薄肉の袋状部とを有し、前記マグネット保持部に保持された磁石の外方平坦面を直接冷蔵庫本体の開口面に吸着させたマグネットガスケットを本体開口を閉塞する扉裏面に取着したことを特徴とする。
【発明の効果】
【００１１】
本発明によるマグネットガスケットを取着した冷蔵庫によれば、磁石部分が直接本体開口面に当接するため、磁力が減衰することなく充分な吸着力を得ることができるとともにガスケット本体の小型化を可能にし、庫内外の良好な熱遮断により冷却効率を向上して冷蔵庫の消費電力の低減に寄与できるとともに、冷蔵庫本体外面の防露性能を向上することができる。
【発明を実施するための最良の形態】
【００１２】
以下、図面に基づき本発明の１実施形態について説明する。図１に示す冷蔵庫本体（１）は、外箱（２）と断熱層（３）を介して設けた内箱（４）によって、内部に貯蔵空間を形成しており、貯蔵空間の前面開口部をいくつかの断熱された仕切壁（５）で区分することで、庫内に複数の独立空間を形成し、それぞれを冷蔵室（６）や野菜室（７）、冷凍室（８）など食品の貯蔵温度に適した所定の温度帯に冷却制御している。
【００１３】
各貯蔵室の開口部には、それぞれ冷蔵室扉（９）や野菜室扉（10）などの開閉扉を設けており、各扉中、冷蔵室扉（９）は、前面開口部の一側の上下に取り付けたヒンジにその一側を枢支することで回動自在に設けられているが、野菜室（７）他の貯蔵室扉は、引出し式に形成されている。
【００１４】
そして、前記各扉の裏面周縁には、図２に冷蔵庫要部の横断面を示すように、マグネットガスケット（11）が取り付けられており、冷蔵庫本体（１）を形成する外箱（２）の前面開口部周縁に形成した鍔部（２ａ）と扉（９）の裏面側周縁との間隙を密閉シールして貯蔵室内（６）と外部とを熱的に遮断し、本体壁面の内外箱間に充填した断熱材（３）と併せて熱漏洩を防止し、貯蔵室（６）内を所定温度に制御保持している。
【００１５】
前記マグネットガスケット（11）が当接する外箱の鍔部（２ａ）の裏面側には、庫内（６）側にその一部が露出している鍔部が貯蔵室内の冷却により冷やされて結露することを防止する加熱源として、冷凍サイクルにおける凝縮器の一部である高温の冷媒パイプ（12）が配設されている。この防露パイプ（12）は、各貯蔵室間を区分する仕切壁（５）の前面部にも配設されており、外箱（２）面を放熱板として吐出された高温冷媒の放熱をおこなうとともに熱伝導により外箱外表面の露付きを防止している。
【００１６】
冷蔵室（６）の開口部におけるマグネットガスケット（11）部の構成は、上記いずれの貯蔵室扉においても基本的に同一であるが、単体としての断面図を図３に示すように、マグネットガスケット（11）は、磁石（17）を保持するマグネット保持部（13）、扉内板（14）側への取付部（15）、およびこれらを伸縮自在に連結する薄肉の袋状部（16）からなる断面形状を有し、軟質合成樹脂によって長尺のひも状に押出成形されたものを、４５度の傾斜角をもって切断し、その端面を突き合わせて加熱溶着加工することにより、扉（９）の裏面周縁に沿った枠状に形成したものである。
【００１７】
前記マグネット保持部（13）は、従来のようにひも状磁石を挿入する袋状（63）ではなく、吸着部である本体側の面を長手方向に亙って開放した断面コ字状をなしており、コ字状底面（13ａ）から本体側には磁石（17）に向かって長手方向の全周に亙るくさび形の突条（13ｂ）を一体に形成している。
【００１８】
磁石（17）は軟質ゴムと磁性体粉末とを混合形成した断面方形で長尺のひも状軟質体からなり、マグネット保持部（13）内に収納されてその外方上面の平坦面（17ａ）が前記本体側の開放部の端縁と面一になるように配置しており、下面側には開口を幅狭にした嵌入溝（17ｂ）を形成し、この嵌入溝（17ｂ）に前記マグネット保持部のくさび形の突条（13ｂ）をその弾性を利用して嵌入することでマグネット保持部（13）から抜け出ることのないように固着されている。
【００１９】
このとき、磁石（17）とマグネット保持部（13）との固着は、前記嵌入溝（17ｂ）とくさび形突条（13ｂ）との嵌合によるだけでなく、磁石（17）と保持部（13）内面とをガスケット本体の押し出し成形時に一体に接着してもよく、また押し出し成形後に別途接着材で固着するようにしてもよい。
【００２０】
また、前記磁石（17）の外方平坦面（17ａ）には長手方向に亙って庫内側と庫外側に間隔を設けて２条の凹溝（17ｃ）を設けており、さらに、磁石の外方平坦面（17ａ）の庫内側あるいは庫外側に隣接するマグネット保持部（13）には、前記庫内側あるいは庫外側の隣接部から冷蔵庫本体の開口面である外箱の鍔部（２ａ）に向かって軟質ヒレ（13ｃ）を延出し、閉扉時には磁石の外方平坦面（17ａ）とともに前記軟質ヒレ（13ｃ）が本体開口面の鍔部（2ａ）に直接当接するように形成している。
【００２１】
袋状部（16）は、前記マグネット保持部（13）と取付部（15）とをそれぞれの両側から０．３〜０．４ｍｍ厚の薄肉材で連結して袋状に形成したものであり、この袋状部（16）によってガスケット（11）を扉（９）の開閉方向である図２における上下方向に伸縮可能とし、開扉時におけるマグネット保持部（13）の吸着力を吸収して開扉力を緩和し、閉扉時における磁石（17）の外箱鍔部（２ａ）への飛び付き代と閉扉力の緩衝作用を有している。
【００２２】
そして、マグネットガスケット（11）の取付部（15）は、厚肉の基部から下方に突出したくさび形のアンカー形状をしており、扉の内板（14）の４周縁にアンダーカット形成した取付凹溝（14ａ）に嵌入することで、ガスケット（11）が抜け出ることのないよう保持しているものであり、このように形成したマグネットガスケット（11）の前記磁石（17）の外方平坦面（17ａ）が、薄鋼板製の外箱（２）の前面開口を形成する鍔部（２ａ）の面にその磁力によって直接吸着することで冷蔵庫内（６）と庫外間とを気密にシールし熱遮断している。
【００２３】
すなわち、上記構成によれば、マグネットガスケット（11）の扉（９）側と外箱（２）側に長手方向に亙って一体に形成したくさび形突条（15）（13ｂ）を、それぞれ対向する扉内板（14）の取付凹溝（14ａ）と軟質磁石（17）の嵌入溝（17ｂ）に嵌合することで磁石（17）を保持したマグネットガスケット（11）を容易に扉（９）の裏面周囲に取り付けることができるものであり、閉扉の際には、マグネット保持部（13）に保持された磁石（17）は、非磁性体である保持部の薄肉部を介在することなく、直接外箱（２）の鍔部（２ａ）に当接することになり、充分な吸着力によって庫内外の熱漏洩を遮断し確実な閉扉状態を保持できるものである。
【００２４】
なお、ガスケットの取付部については、前記のように扉内板への嵌入構成に限らず、接着やネジ固定方式でもよく、さらには、扉側部品と軟質樹脂によるガスケットとを一体成形した構成にでもよい。
【００２５】
また、磁石（17）の外方平坦面（17ａ）には庫内側と庫外側に２条の凹溝（17ｃ）を設けているため、この凹溝（17ｃ）による空間が外箱鍔部（２ａ）における庫内外の熱遮断層となり、庫外の熱が外箱の鍔部（２ａ）から比較的熱伝導性の高い磁性体粉末材料の磁石（17）に伝導して庫内（６）側に侵入することを抑制できるものである。
【００２６】
同様に、外箱の鍔部（２ａ）に磁石（17）が直接接触していることから、前記露付き防止パイプ（12）の熱が磁石（17）に伝導されることになり、冷蔵庫の構成上外箱（２）の周囲に防露パイプ（12）が配設されない箇所が一部あったとしても、マグネットガスケット（11）などの表面に結露することを抑制できるものである。
【００２７】
さらに、マグネット保持部（13）に設けた前記庫内側あるいは庫外側の隣接部から冷蔵庫本体（２）の開口面（２ａ）に向かって延出する軟質ヒレ（13ｃ）によって、磁石の外方平坦面（17ａ）とともに前記軟質ヒレ（13ｃ）が本体開口面（２ａ）に直接当接するため、閉扉時には、磁石（17）自体は庫内側若しくは庫外の空気と遮断されることになり、比較的熱伝導の良好な磁石（17）による熱漏洩を抑制し、庫内外の断熱性能を高めることができる。
【００２８】
このガスケットの構成により、扉の内板の取付凹溝（14ａ）に取付部（15）を嵌入固定した際には、マグネット保持部（13）に保持された磁石（17）の外方上面の平坦部（17ａ）は外箱の鍔部（２ａ）に直接吸着するとともに、磁石表面の凹溝（17ｃ）および磁石（17）に隣接するマグネット保持部（13）の軟質ヒレ（13ｃ）によって、磁石部分における庫内外間の熱遮断を確実にし、庫内側の袋状部（16）の延出部は外箱の鍔部（２ａ）を覆うとともに内箱のフランジ部（４ａ）に当接するものであり、充分な閉扉吸着力とともに冷蔵庫内（６）と庫外間の熱漏洩を確実に遮断して冷却効率を向上させ、消費電力を低減することができるものである。
【００２９】
なお、上記実施例においては、冷蔵庫本体の前面開口部における外箱（２）と内箱（４）との係合鍔部（２ａ）（４ａ）に対向する扉（９）裏面のマグネットガスケット構成について説明したが、本発明はこれに限定されるものではなく、各貯蔵室間を区分する仕切壁（５）におけるマグネットガスケット構成にも適用できるものである。
【産業上の利用可能性】
【００３０】
本発明は、マグネットガスケット部における熱遮断性能を向上した冷蔵庫に利用することができる。
【図面の簡単な説明】
【００３１】
【図１】本発明における冷蔵庫の全体を示す斜視図である。
【図２】本発明の１実施形態を示す扉ガスケット部の拡大断面図である。
【図３】図２におけるガスケットの単体構成を示す断面図である。
【図４】従来の扉ガスケット部を示す図２と同一部分の断面図である。
【符号の説明】
【００３２】
１  冷蔵庫本体            ２  外箱                ２ａ  外箱鍔部
３  断熱層                ４  内箱                ４ａ  内箱鍔部
５  仕切壁                ６  貯蔵室内            ９  冷蔵室扉
11  マグネットガスケット  12  露付き防止パイプ    13  マグネット保持部
13ａ 底面                 13ｂ  くさび形突条      13ｃ  軟質ヒレ
14  扉内板                14ａ  取り付け凹溝      15  取付部
16  袋状部                17  磁石                17ａ  平坦部
17ｂ  嵌入溝              17ｃ  凹溝
【図１】
2005188840.tif 000003
【図２】
2005188840.tif 000004
【図３】
2005188840.tif 000005
【図４】
2005188840.tif 000006